(57)【要約】【課題】    アコーステックとエレキギターの両方に着脱できるギタースタンドを提供する。【解決手段】  ギターにギタースタンドを装着し、一体化するために、スタンド側に吸盤を設置し、装着時に演奏や移動に邪魔ならぬよう、後部支持脚が一定回転収納可能にする。  ギターの種類やサイズなどに対応調整できるよに、ギター本体下部を受ける各スライド式ギター下部受け部は、前後に移動できる。  また、左右支持脚のスライド式支持脚高低調整部は、上下に移動できスタンドの高低を調整できるなど、装着時以外でもギターを安定して保持する。  以上の特徴を持った着脱式のギタースタンドである。【選択図】図３
2007323033.tif 000002
【特許請求の範囲】
【請求項１】
ギターにギタースタンドを装着し、一体化するためにスタンド側に吸盤を設け、装着時に演奏や移動に邪魔ならぬよう、後部支持脚が一定回転収納可能になることを特徴とする着脱式のギタースタンド。
【請求項２】
請求項１において、ギターの種類やサイズなどに対応、調整できるよう、左右支持脚のスライド式支持脚高低調整部は上下に移動でき、スタンドの高低を調整できるなど、装着時以外でもギターを安定して保持することを特徴とする着脱式のギタースタンド。
【発明の詳細な説明】
【技術分野】
【０００１】  本発明は、アコーステックとエレキギターの両方に着脱できるギタースタンドに関するものである。
【背景技術】
【０００２】  従来、立設するギター胴部底面にスタンドを固定し、それを装着したままギターを使用できるギタースタンドがあった。（特許文献１参照）また、折りたたみ式のコンパクトサイズのギタースタンドがあった。（特許文献２参照）
【特許文献１】  特開２００５−１８９７１８号公報
【特許文献２】  特開平９−６２２５６号公報
【発明の開示】
【発明が解決しようとする課題】
【０００３】  それには次のような問題点があった。
（イ）スタンドを装着するには、ギター胴部底面の広いアコースッテクギターでないと対応できないし、装着部分はギター胴部底面なので安定性に不安がある。
（ハ）コンパクトであるが、着脱式でないのでギターの移動時は、一緒にスタンドも必要であり場所も取る。
本発明は、以上の問題点を解決するためのものである。
【発明が解決するための手段】
【０００４】  左支持脚（１）に左スライド式ギター下部受け部（３）と、右支持脚（２）に右スライド式ギター下部受け部（４）を設ける。
左右支持脚を連結するフレーム材（５）に吸盤３ケ（６）、（７）、（８）と後部支持脚（９）の上部に吸盤（１０）を設ける。
左右の支持脚（１）、（２）の背面下部にスライド式左支持脚高低調整部（１２）とスライド式右支持脚高低調整部（１３）を設ける。
演奏時は、後部支持脚（９）は左右後部支持脚固定ネジ部（１１）を支点に、フレーム材（５）方向へ移動できる。
以上の機能を特徴とする着脱式のギタースタンドである。
【発明の効果】
【０００５】  簡単にしっかりギターに固定でき、移動もスムーズで場所も取らない、置きたい場所に置けるので弾きたい時にいつもギターが手元にある。
演奏時は平らになるので邪魔にならず、楽器によりスタンドの高さも調整できる。
以上の特徴を備えたコンパクトな着脱式のギタースタンドである。
【発明を実施するための最良の形態】
【０００６】  以下、本発明の実施の形態を説明する。
図１は、本発明のギタースタンドを開脚し、使用する状態の斜視図、図２は本発明の使用状態の後方斜視図、図３は本発明をギターに装着し演奏及び移動可能状態の後方者斜視図、図４は本発明の後部支持脚を折りたたんだ状態の側面図である。
図１において、（１）は左支持脚、（２）は右支持脚、（９）は後部支持脚であり、左右後部支持脚固定ネジ部（１１）はこれらの各支持脚の上端を結合し、後部支持脚（９）を折りたたんだ状態から後部方向へ所定角度４５°回転可能にする。
左支持脚（１）に結合している左スライド式ギター下部受け部（３）と、右支持脚（２）に結合している右スライド式ギター下部受け部（４）は、それぞれ前後に７．５ｃｍ〜１３ｃｍまで移動でき、アコーステックとエレキ両方のギターの厚さに調整対応できる。
前記記載の左部のスライド式の構造は、左支持脚（１）に細長状の溝（２３）を設けたＬ形状の台座（１９）をネジ部（２１）、（２２）で固定し、その台座（１９）の上部に先端を曲折させた受け部（３）をネジ部（２０）を介して、前後にスライドできるようになっている。
右部のスライド式の構造も、上記左部構造と同様に、先端を曲折させた受け部（４）をネジ部（２０）を介して、前後にスライドできるようになる。
また、滑止めカバー付き左脚部（１４）、滑止めカバー付き右脚部（１５）を各スライド式支持脚高低調整部（１２）、（１３）の下部に設け、上下に最大７ｃｍ移動できる。
以下、各スライド式支持脚高低調整部（１２）、（１３）の構造について説明する。
まず、左支持脚（１）に、細長状の溝（２４）を設けたスライド式左支持脚高低調整部（１２）を、ネジ部（２１）、（２２）を介して、上下に最大７ｃｍスライドできるようになっている。
右支持脚（２）についても、各部同様の構造として上下最大に７ｃｍスライドできるようにする。（図２参照）
本発明のギタースタンドを開脚時に安定させるために、左支持脚（１）と右支持脚（２）を固定するためにフレーム材（５）を設置する。
本発明のギタースタンドの最良の点は、ギターとギタースタンドを一体化するために予めスタンド側に吸盤が設置されているところである。
スタンドのフレーム材（５）に吸盤３ケ（６）、（７）、（８）をピンなどで固定し、また後部支持脚（９）の上部にも吸盤（１０）をピンなどで固定されている。
これで、本発明のギタースタンドにギターが着脱可能となる。
本発明は以上の構成であり、以下この使用方法について説明する。
図２のように後部支持脚（９）を固定される位置まで開脚し、ギター（Ｇ）の下部を各スライド式ギター下部受け部（３）、（４）に載せ、後部支持脚（９）上部の吸盤（１０）に接するようにギター（Ｇ）を斜に立てて使用する。
尚、後部支持脚（９）には、滑止めのゴム（１６）がついている。
また、図にはないが本発明のギタースタンドは、各スライド式ギター下部受け部（３）、（４）をスライドさせることにより、アコーステック及びエレキ両方のギターの厚さに対応調整でき、ギターのサイズ等に応じて滑止めカバー付き左脚部（１４）、滑止めカバー付き右脚部（１５）を、あるいはスライド式左支持脚高低調整部（１２）、スライド式右支持脚高低調整部（１３）を下部にスライドすることにより、本ギタースタンドの高低を調整することができる。
本発明ギタースタンドを装着する場合は、図１の開脚状態にし、図２のようにギター（Ｇ）の下部を各スライド式ギター下部受け材（３）、（４）に載せ、フレーム材（５）に固定している吸盤３ケ（６）、（７）、（８）を当該ギターの背面下部に軽く押し当ててから後部支持脚上部の吸盤（１０）が、当該ギターの背面上部に接するように押し当てることにより、ギターに装着できる。
尚、図３のように後部支持脚（９）をフレーム材（５）に押し当てることにより、吸盤３ケ（６）、（７）、（８）の装着がより確実になる。
また、本発明ギタースタンドを装着して演奏する場合は、図３のとうり後部支持脚（９）が所定角度回転し、演奏や移動に邪魔ならない。
本ギタースタンドを当該ギターから取外す場合は、後部支持脚（９）を所定角度４５°以上後方に回転させると、吸盤（１０）が当該ギターの背面上部より外れ、同ギターの背面下部に接している吸盤３ケ（６）、（７）、（８）も簡単に外れやすくなる。
上記の図３でも説明したが図４の示すとうりに、本発明ギタースタンドは後部支持脚（９）が所定角度回転し、演奏や移動に邪魔ならない。
また、図１、図２、図３には構造及び詳細を説明するために表現してないが、図４のとうり左右スライド式ギター下部受け部（３）、（４）にはギターに対する傷や衝撃をなくすために、スポンジなど付いたスライド式ギター下部受け部緩衝部（１７）、（１８）を取り付ける。
但し、図４は側面図のため右支持脚（２）の関連部材に隠れ、左支持脚（１）の関連部材の（１８）は表現してない。
以下に本発明ギタースタンドの作用と効果を説明する。
本発明ギタースタンドは、ギターを安定して保持し、装着することによりギターと一体化し、演奏時もコンパクトで邪魔にならず、移動もスムーズで場所も取らない、置きたい場所に置ける、弾きたい時にいつでも手元にギターを置くことのできるものである。
【図面の簡単な説明】
【０００７】
【図１】  本発明のギタースタンドを開脚し、使用する状態の斜視図
【図２】  本発明の使用状態の後方斜視図
【図３】  本発明をギターに装着し演奏及び移動可能状態の後方者斜視図
【図４】  本発明の後部支持脚を折りたたんだ状態の側面図である。
【符号の説明】
【０００８】      １  左支持脚
２  右支持脚
３  左スライド式ギター下部受け部
４  右スライド式ギター下部受け部
５  フレーム材
６  吸盤
７  吸盤
８  吸盤
９  後部支持脚
１０  吸盤
１１  左右後部支持脚固定ネジ部
１２  スライド式左支持脚高低調整部
１３  スライド式右支持脚高低調整部
１４  滑止めカバー付き左脚部
１５  滑止めカバー付き右脚部
１６  滑止めカバー付き後部脚部
１７  左スライド式ギター下部受け部緩衝部
１８  右スライド式ギター下部受け部緩衝部
１９  台座
２０  ネジ部
２１  ネジ部
２２  ネジ部
２３  細長状の溝
２４  細長状の溝
Ｇ    ギター
【図１】
2007323033.tif 000003
【図２】
2007323033.tif 000004
【図３】
2007323033.tif 000005
【図４】
2007323033.tif 000006